(57)【要約】【解決手段】エチレン酢酸ビニル共重合体とエチレンプロピレンゴムを主体とするポリマーを射出成形して架橋発泡させ、低発泡体の成型品であるインソールとする。そして、このインソール１の平面形状を足裏の形状に合わせた形状とし、その上面には足裏の凹凸形状に対応する凹凸面を形成する。【効果】ポリマーの射出成形による架橋発泡という極めて簡単な工程により、軟らかくてクション性に優れ、かつ極めて軽い。耐摩耗性、耐防滑性、耐寒性、耐候性、耐薬品性に優れているのみならず、屈曲に対しても強靭である。そして、インソール１の上面には足裏の凹凸形状に対応する凹凸面が形成されているので、このインソール１を靴底の内面に敷いて中敷きとして使用すると、あるいは、履物におけるアウトソール５上に配置して用いると、足裏に好適にフィットして良好な装着感が得られる。【選択図】図４
0003188011.tif 000002
【実用新案登録請求の範囲】
【請求項１】
エチレン酢酸ビニル共重合体とエチレンプロピレンゴムを主体とするポリマーを射出成形して架橋発泡させた低発泡体の成型品であり、その上面に足裏の凹凸形状に対応する凹凸面が形成されていることを特徴とするインソール。
【請求項２】
つま先付近に、足の大きさに対応して余分な部分を切り取るための目印が付されていることを特徴とする請求項１記載のインソール。
【請求項３】
甲バンド付きの請求項１記載のインソールをアウトソールに嵌め込むとともに、両者を接着剤で固定したことを特徴とするサンダル。
【考案の詳細な説明】
【技術分野】
【０００１】
本考案は、靴底の内面に敷いて中敷きとして使用することができるほか、履物におけるアウトソール上に配置して用いることもできるインソールに関し、さらに詳しくは、エチレン酢酸ビニル共重合体とエチレンプロピレンゴムを主体とするポリマーを射出成形して架橋発泡させたものに関する。また、本考案は、前記インソールを用いたサンダルに関する。
【背景技術】
【０００２】
突起を有する靴用中敷きは従来から広く使用されており、また、それに関する提案も多数見受けられる。そして、その素材はほとんどが硬質ゴムや合成樹脂あるいはパラフィン系ワックスで、成形したものがほとんどである。（例えば、特許文献１、２参照）。
【０００３】
一方、紳士靴、婦人靴、スニーカーその他の履物におけるアウトソール上に配置して用いられるインソールには、クッション性が求められるので、その素材としてフェルト、ゴムスポンジ、布、ポリエチレン発泡体などが使用されている。
【先行技術文献】
【特許文献】
【０００４】
【特許文献１】実開平７−７５０９号公報
【０００５】
【特許文献２】登録実用新案第３００３６３７号公報
【考案の概要】
【考案が解決しようとする課題】
【０００６】
しかしながら、上記素材からなる成形品の靴用中敷きは、劣化しやすいという致命的欠点がある。また、素材のためであると思われるが、比較的硬く、全体のクッション性に欠けているものも多い。
【０００７】
一方、履物におけるアウトソール上に配置して用いられるインソールは、上述したようにクッション性が求められている。
【０００８】
したがって、靴用中敷きとして用いることができるほか、履物におけるアウトソール上に配置して用いることもできるインソールにおいて、軟らかくてクッション性に優れているものがあれば極めて有利であり、その需要は計り知れないものがある。
【０００９】
本考案はこのような要望に応えることができるインソールを提供できるようにするとともに、当該インソールを極めて簡単に得ることができるようにしたものである。また、このインソールを用いたサンダルを提供しようとするものである。
【課題を解決するための手段】
【００１０】
この目的を達成するために、本考案では、エチレン酢酸ビニル共重合体とエチレンプロピレンゴムを主体とするポリマーを射出成形して架橋発泡させ、低発泡体の成型品であるインソールとする。この場合には、ポリマーの射出成形による架橋発泡という極めて簡単な工程により、軟らかくてクション性に優れ、かつ極めて軽いインソールを得ることができる。また、耐摩耗性、耐防滑性、耐寒性、耐候性、耐薬品性に優れているのみならず、屈曲に対しても強靭である。
【００１１】
そして、このインソール１の平面形状を足裏の形状に合わせた形状とし、その上面には足裏の凹凸形状に対応する凹凸面を形成する。このようにすると、このインソールを靴底の内面に敷いて中敷きとして使用すると、あるいは、履物におけるアウトソール上に配置して用いると、足裏に好適にフィットして良好な装着感が得られる。
【００１２】
つま先付近に、足の大きさに対応して余分な部分を切り取るための目印が付されていることが好ましい。このようにした場合には、このインソールを靴底の内面に敷いて中敷きとして使用する場合、あるいは、履物におけるアウトソール上に配置して用いる場合において、足の大きさに対応して余分な部分を極めて簡単に切り取ることができるので、極めて便利である。
【００１３】
また、本考案に係るサンダルは、甲バンド付きの前記インソールをアウトソールに嵌め込むとともに、両者を接着剤で固定したことを特徴とするものである。このサンダルによれば、足裏に好適にフィットして良好な装着感が得られるという利点がある。
【考案の効果】
【００１４】
請求項１記載の考案によれば、ポリマーの射出成形による架橋発泡という極めて簡単な工程により、軟らかくてクション性に優れ、かつ極めて軽いインソールを得ることができる。また、耐摩耗性、耐防滑性、耐寒性、耐候性、耐薬品性に優れているのみならず、屈曲に対しても強靭である。さらに、このインソールを靴底の内面に敷いて中敷きとして使用すると、あるいは、履物におけるアウトソール上に配置して用いると、足裏に好適にフィットして良好な装着感が得られる。
【００１５】
請求項２記載の考案によれば、このインソールを靴底の内面に敷いて中敷きとして使用する場合、あるいは、履物におけるアウトソール上に配置して用いる場合において、足の大きさに対応して余分な部分を極めて簡単に切り取ることができるので、極めて便利である。
【００１６】
請求項３記載の考案によれば、足裏に好適にフィットして良好な装着感が得られるという利点がある。
【図面の簡単な説明】
【００１７】
【図１】本考案に係るインソールを靴用中敷きとして利用する場合の一例を示す斜視図で、足の大きさに対応して余分な部分を切り取る前の状態を示す。
【図２】図１に示すインソールを履物におけるアウトソール上に配置して用いるために、足の大きさに対応して余分な部分を切り取るとともに、甲バンドとストラップを所定位置に配置してそれぞれの両端をインソールの裏側に定着した状態を示す斜視図である。
【図３】履物用のアウトソールの一例を示す斜視図である。
【図４】図２に示す甲バンドとストラップ付きのインソールを図３に示すアウトソールに嵌め込むとともに、両者を接着剤で固定して作製されたサンダルの一例を示す斜視図である。
【考案を実施するための形態】
【００１８】
本考案に係るインソールの一例と、それを用いたサンダルの一例を、図面に基いて詳細に説明する。このインソール１は、エチレン酢酸ビニル共重合体とエチレンプロピレンゴムを主体とするポリマーを射出成形して架橋発泡させた低発泡体の成型品である。
【００１９】
ポリマーの射出成形による架橋発泡という極めて簡単な工程により、軟らかくてクション性に優れ、かつ極めて軽いインソール１を得ることができる。また、耐摩耗性、耐防滑性、耐寒性、耐候性、耐薬品性に優れているのみならず、屈曲に対しても強靭である。
【００２０】
このように、エチレン酢酸ビニル共重合体（ＥＶＡ）とエチレンプロピレンゴム（ＥＰＲ）を主体とするポリマーを射出成形して架橋発泡させ、低発泡体の成型品であるインソールとした場合には、従来の硬質ゴムや合成樹脂あるいはパラフィン系ワックスを主成分とするインソールに比べて、軟らかいものとなる。
【００２１】
このインソール１の上面には、図１に示すように、足裏の凹凸形状に対応する凹凸面が形成されている。より詳しくは、インソール１のヒールカップ部分１ｂは足のかかとに対応して窪ませてあり、足の土踏まずに対応する部分１ｃは足の土踏まずに対応して膨らませてあり、それよりつま先１ａ側についてはわずかに窪ませた後わずかに膨らませ、さらに、それより先側は平らになっている。
【００２２】
そして、つま先１ａの平らなところには、足の大きさに対応して余分な部分を切り取るための目印２として、その大きさを表わすＳ、Ｍ、Ｌ、ＬＬの記号２ａとこの記号２ａに対応する曲線２ｂとが付されている。
【００２３】
このようにした場合には、このインソール１を靴底の内面に敷いて中敷きとして使用する場合（これについては、説明と図示を省略する）、あるいは、履物におけるアウトソール５上に配置して用いる場合（これについては、後述する）において、足の大きさに対応して余分な部分を極めて簡単に切り取ることができるので、極めて便利である。そして、余分な部分を切り取った後のインソール１を靴底の内面に敷いて中敷きとして使用すると、エチレン酢酸ビニル共重合体とエチレンプロピレンゴムを主体とするポリマーからなる前記凹凸面により、足裏に好適にフィットして良好な装着感が得られる。
【００２４】
余分な部分を切り取った後のインソール１を図２に示す。そして、このインソール１を図３に示すアウトソール５上に配置して用いるために、同図に示すように、甲バンド３とストラップ４を所定位置に配置してそれぞれの両端をインソール１の裏側に定着する。
【００２５】
このように、甲バンド３とストラップ４付きのインソール１を作製し、これを図３に示すアウトソール５の凹部５ａに嵌め込むとともに、両者を接着剤で固定する。かくして、図４に示すように、甲バンド３とストラップ４付きのサンダルＳとなる。このサンダルＳを履いた場合には、足裏に好適にフィットして良好な装着感が得られる。
【００２６】
なお、インソール１とアウトソール５とを接着剤で固定するに当っては、ポリ塩化ビニル樹脂の処理液でインソール１を処理後、当該インソール１とアウトソール５にゴム系の接着剤を塗り、約３０分後に両者を貼り合わせる方法を採用することができる。
【００２７】
アウトソール５はポリウレタン製とすることができる。このアウトソール５の凹部５ａ部分には、図３に示すように、窪み５ｂ，５ｂが多数形成されている。これらの窪み５ｂ，５ｂはアウトソール５を軽量化するためのヌスミである。なお、甲バンド３はポリ塩化ビニル樹脂製、ストラップ４はアルミニウムあるいはプラスチックス製とすることができる。
【符号の説明】
【００２８】
１…インソール、１ａ…つま先、１ｂ…ヒールカップ部分、１ｃ…足の土踏まずに対応する部分、２…目印、２ａ…大きさを表わす記号、２ｂ…曲線、３…甲バンド、５…アウトソール、５ａ…凹部、Ｓ…サンダル。
【図１】
0003188011.tif 000003
【図２】
0003188011.tif 000004
【図３】
0003188011.tif 000005
【図４】
0003188011.tif 000006